(57)【特許請求の範囲】
【請求項１】
建築物の基礎にコンクリートを打設する場合に配管口の型として用いられる配管スリーブであって、
円管状の胴体と、該胴体から切断可能に切断線を有し、該胴体の各開口周縁の下側部に沿うように湾曲して、該胴体の軸線方向に各々突設された舌状の突出片とを備えてなる本体と、
前記胴体の各開口を各々閉塞するように設けられた円盤状の芯材と、
前記各芯材を貫通して、両端が前記本体の外側に向かって所要の長さだけ突出するように設けられた吊り巾止め金具とを具備してなり、
コンクリートの固着した前記突出片を切断し、前記胴体を配管スリーブの本体として再利用することができることを特徴とする配管スリーブ。
【請求項２】
請求項１記載の配管スリーブにおいて、
前記切断線は、前記胴体の開口周縁に沿って設けられたミシン目であることを特徴とする配管スリーブ。
【請求項３】
円管状に丸められて、建築物の基礎にコンクリートを打設する場合に配管口の型として用いられる配管スリーブの胴体となる矩形の胴体部と、
前記胴体部から切断可能に切断線を有し、配管スリーブの胴体の開口となるべき胴体部の側縁の所要の位置に設けられた舌状の突出片部とを具備してなり、
コンクリートの固着した前記突出片部を切断し、前記胴体部を配管スリーブの本体として再利用することができることを特徴とする配管スリーブ用シート。
【発明の詳細な説明】
【０００１】
【発明の属する技術分野】
本発明は、住宅等の建築物の基礎に配管口を設けるための配管スリーブに関するものである。
【０００２】
【従来の技術】
住宅等の基礎にコンクリートを打設する場合には、基礎の型枠を設置するとともに、基礎に設けるべき配管口等の型も設置される。基礎に設けるべき配管口の径は用途に応じて様々であるが、例えば、径が７５ｍｍ、１００ｍｍ程度の配管口を設ける場合には、配管口の型として円管状の配管スリーブが用いられる。図１２は基礎の側面と配管口が設けられる位置を示した模式図であるが、通常、配管口７０ａ（斜線部）は、図に示すように、基礎７１のフーチングより上方の位置であって、地上に露出しないような位置に設けられる。
【０００３】
図１３は、７５ｍｍ用の配管スリーブの構成を示す概略斜視図であるが、図に示すように、該配管スリーブ８００は、円管状の本体８０１と、本体８０１の各開口を各々閉塞するように設けられた円盤状の芯材８０２と、本体８０１の下方に、両端が本体８０１の外側に向かって所要の長さだけ突出するように設けられた吊り巾止め金具８０３とからなるものである。
本配管スリーブ８００を基礎の型枠に設置してコンクリートを打設すれば、図１２に示すような配管口７０ａを基礎７１に形成することができる。
【０００４】
一方、例えば、径が１３０ｍｍもあるような大口径の配管口７０ｂを設ける場合には、該配管口７０ｂを基礎７１のフーチングより上方に設けると、該配管口７０ｂの上部が地上に露出するため、図１４に示すように、基礎７１のフーチングにもかかる位置に配管口７０ｂ（斜線部）が設けられる。
【０００５】
図１５は、１３０ｍｍ用の配管スリーブの構成を説明するための概略斜視図であるが、図に示すように、該配管スリーブ９００は、円管状の胴体９０と、該胴体９０の各開口周縁の下側部分に沿うように湾曲して、該胴体の軸線方向に各々突設された舌状の突出片９１とを備えてなる本体９０１と、前記胴体９０の各開口を各々閉塞するように設けられた円盤状の芯材９０２と、各芯材９０２を貫通して、両端が本体９０１の外側に向かって所要の長さだけ突出するように設けられた吊り巾止め金具９０３とを具備してなるものである。
本配管スリーブ９００を基礎の型枠に設置してコンクリートを打設すれば、図１４に示すような配管口７０ｂを基礎７１に形成することができる。
【０００６】
【発明が解決しようとする課題】
しかし、前記配管スリーブ９００を基礎の型枠に設置して、コンクリートを打設した場合に、配管スリーブ９００の突出片９１と基礎のフーチングの型枠との間に隙間が生じることが多く、該隙間から滲出したコンクリートが前記突出片９１に付着し、該コンクリートが硬化して固着することがある。
【０００７】
一般に、前記配管スリーブ９００は繰り返し使用されるものであるが、前記突出片にコンクリートが固着した場合には、該コンクリートを除去するのは困難であるため、そのような配管スリーブ９００は破棄するしかなかった。
【０００８】
本発明は、このような問題に鑑みてなされたものであり、突出片にコンクリートが付着した配管スリーブを再利用する手段を提供することを目的とする。
【０００９】
【課題を解決するための手段】
前記目的を達成するためになされた本発明の請求項１に係る配管スリーブは、建築物の基礎にコンクリートを打設する場合に配管口の型として用いられる配管スリーブであって、円管状の胴体と、該胴体から切断可能に切断線を有し、該胴体の各開口周縁の下側部に沿うように湾曲して、該胴体の軸線方向に各々突設された舌状の突出片とを備えてなる本体と、前記胴体の各開口を各々閉塞するように設けられた円盤状の芯材と、前記各芯材を貫通して、両端が前記本体の外側に向かって所要の長さだけ突出するように設けられた吊り巾止め金具とを具備してなり、コンクリートの固着した前記突出片を切断し、前記胴体を配管スリーブの本体として再利用することができるものである。
【００１０】
また、本発明（請求項２）は、請求項１記載の配管スリーブにおいて、前記切断線は、前記胴体の開口周縁に沿って設けられたミシン目である。
【００１１】
また、本発明の請求項３に係る配管スリーブ用シートは、円管状に丸められて、建築物の基礎にコンクリートを打設する場合に配管口の型として用いられる配管スリーブの胴体となる矩形の胴体部と、前記胴体部から切断可能に切断線を有し、配管スリーブの胴体の開口となるべき胴体部の側縁の所要の位置に設けられた舌状の突出片部とを具備してなり、コンクリートの固着した前記突出片部を切断し、前記胴体部を配管スリーブの本体として再利用することができるものである。
【００１２】
【発明の実施の形態】
以下、本発明の実施の形態を図面に基づき具体的に説明する。
図１は、本発明の実施の形態に係る配管スリーブの構成を示す斜視図であり、本配管スリーブ１００は、円管状の胴体１０と、該胴体１０から切断可能に切断線１２を有し、該胴体１０の各開口周縁の下側部に沿うように湾曲して、該胴体１０の軸線方向に各々突設された舌状の突出片１１とを備えてなる本体１０１と、前記胴体１０の各開口を各々閉塞するように設けられた円盤状の芯材１０２と、各芯材１０２を貫通して、両端が本体１０１の外側に向かって所要の長さだけ突出するように設けられた吊り巾止め金具１０３とからなるものである。
【００１３】
本体１０１は、図２に示す配管スリーブ用シート１０４が円管状に丸められてなるもので、該配管スリーブ用シート１０４は、円管状に丸められて前記配管スリーブ１００の胴体１０となる矩形の胴体部４０と、該胴体部４０から切断可能に切断線１２を有し、配管スリーブ１００の胴体１０の開口となるべき胴体部４０の側縁の所要の位置に設けられた舌状の突出片部４１とを有する。さらに、胴体部４０の両端近傍には、配管スリーブ用シート１０４を所定の径の円管状に丸める場合に位置決めとなる直線状の切込み４２と円弧状の切込み４３とが設けられている。
【００１４】
前記２つの突出片部４１は、前記胴体部４０の長手側の両側縁に設けられており、該突出片部４１を設けるべき位置は、本配管スリーブ用シート１０４を円管状に丸めて配管スリーブ１００とした場合に、前記胴体１０の開口周縁の下側部となる位置である。また、突出片部４１に設けられた切断線１２は、所定間隔で切込みを連設してなるミシン目であり、手で破り取るか、カッター等の刃物により、簡単に切断線１２に沿って切断できるものとなっている。突出片部４１の形状は舌状のものであり、基礎のフーチングに相当する曲板状の型枠に合致する形状となっている。
【００１５】
このように形成された配管スリーブ用シート１０４は、前記胴体部４０が円管状に丸められ、前記直線状の切込み４２と円弧状の切込み４３とが係合され、粘着テープ等により貼り付け固定されて本体１０１となる。
【００１６】
なお、本実施の形態においては、突出部４１に設けられた切断線１２はミシン目としたが、例えば、シート厚の半分程度まで切込みを設けたり、Ｖ字溝を設ける等、容易に切断可能なものであれば、その他の手段を切断線１２として用いることとしてもよい。
また、配管スリーブ用シート１０４の素材としては、ポリエチレン等の合成樹脂を用いることが好適であるが、防水加工された紙等のその他の素材のものを用いることとしてもよい。
【００１７】
芯材１０２は、図３に示すように、発泡樹脂からなる円盤状のものであって、その中央近傍に、吊り巾止め金具１０３が貫通されるスリット２０が形成されている。芯材１０２の直径は、前記本体１０１の開口の内径と略同一のものであり、芯材１０２の厚さは、基礎として打設されるコンクリートに対して、本体１０１の円管形状を維持できるに十分な厚さとする。
なお、芯材１０２の素材としては、発泡樹脂が好適であるが、木材等のその他の素材のものを用いることとしてもよい。
【００１８】
吊り巾止め金具１０３は、図４に示すように、平板棒状のものであって、その両端が上方に略直角に曲折されて爪部３０が形成されている。該爪部３０は、基礎の平板状の型枠の下側に沿って折り曲げられるものである。
【００１９】
また、本配管スリーブ１００が基礎の型枠に取り付けられた場合に、吊り止め金具１０３の上面は基礎の平板状の型枠の下端と密着するものであり、一方、前記突出片１１の上端も基礎の平板状の型枠の下端と密着するものであるので、芯材１０２に設けられるスリット２０は、吊り巾止め金具１０３の上面と前記突出片１１の上端との水平位置が合致するような位置に設けられている。
【００２０】
以下、図５、図６を用いて、前記各構成物品からなる本配管スリーブ１００の組立方法について説明する。
まず、図５に示すように、配管スリーブ用シート１０４を円管状に丸めて、胴体部４０の直線状の切込み４２と円弧状の切込み４３とを係合した後、胴体部４０の端部を粘着テープ等で貼り付けて密着する。これにより、配管スリーブ１００の本体１０１が形成される。
【００２１】
一方、図６に示すように、２つの芯材１０２の各スリット２０に吊り巾止め金具１０３を貫通させる。２つの芯材１０２間の距離は、前記本体１０１の開口間の距離と略同一となるようにする。また、吊り巾止め金具１０３の両端が各芯材１０２から突出する寸法は、基礎の平板状の型枠の厚さ寸法に対応する。
【００２２】
つぎに、前記吊り巾止め金具１０３が貫通された芯材１０２を、本体１０１の各開口を閉塞するように位置せしめ、図１に示す配管スリーブ１００が形成される。本体１０１と芯材１０２とは特に接着させる必要はないが、本体１０１の開口に隙間等が生じている場合には粘着テープ等により封止する。
【００２３】
以下、本配管スリーブ１００の設置方法について、図７から図１０を用いて説明する。
まず、図７に示すように、基礎が設けられるべき地盤に配設された配筋７２のうち、本配管スリーブ１００を取りつけるべき位置の配筋（点線部）を切断して取り除き、該位置の周囲に配管スリーブ補強筋７３を配設する。
【００２４】
つぎに、図８に示すように、基礎の一方の側面に相当する平板状の型枠７４を配設する。その後、図９に示すように、本配管スリーブ１００を設置する。配管スリーブ１００は、一方の芯材１０２の表面と型枠７４の内側面とが密接し、かつ、該芯材１０２から突出した吊り巾止め金具１０３の上面と型枠７４の下面とが密接するように設置する。
【００２５】
つぎに、図１０に示すように、基礎の他方の側面に相当する平板状の型枠７５を配設する。該型枠７５も、前記型枠７４と同様に、配管スリーブ１００の他方の芯材１０２と型枠７５の内側面とが密接し、かつ、該芯材１０２から突出した吊り巾止め金具１０３の上面と型枠７５の下面とが密接するように配設する。
【００２６】
最後に、吊り巾止め金具１０３の両端の爪部３０を、前記型枠７４、７５の下端に沿って折り曲げる。その後、図示していないが、基礎のフーチングに相当する曲板状の型枠が、本配管スリーブ１００の突出片１１に密着して配設される。このようにして、本配管スリーブ１００が設置され、その後、コンクリートが打設されて、本配管スリーブ１００により基礎に配管口が形成される。
【００２７】
以下、本配管スリーブ１００の再利用方法について説明する。
前述したように、本配管スリーブ１００の突出片１１の形状と基礎のフーチングに相当する型枠の形状とが完全に合致せず、該突出片１１と該型枠との間に隙間が生じるような場合には、突出片１１の周囲等にコンクリートが付着し、該コンクリートが硬化して固着する。一旦固着したコンクリートは除去することが困難であるので、そのような配管スリーブ１００は、そのまま繰り返して使用することができない。
【００２８】
このように、配管スリーブ１００の突出片１１にコンクリートが固着した場合には、図１１に示すように、コンクリートの固着した突出片１１を、切断線１２に沿って手で破り取るか、カッター等の刃物により切断する。本配管スリーブ１００の突出片１１には、胴体の開口に沿って切断線１２が設けてあるので、該突出片１１を容易に切断することができ、これにより、配管スリーブ１００のうち、胴体１０に相当する円管状の部分を配管スリーブとして再利用することができる。なお、吊り巾止め金具１０３は、必要に応じて、芯材１０２から引き抜いて配管スリーブの下方等に着けかえる。
【００２９】
さらに、配管スリーブ用シート１０４の胴体部に設けられた直線状の切込み４２を、本体１０１が複数の径、例えば１３０ｍｍの他に１００ｍｍ、７５ｍｍとなるように３ヶ所に設ければ、前記突出片１０２を切断した後の配管スリーブ１００を、粘着テープ等を剥がしてシート状に戻し、再度所望の径になるように直線状の切込み４２と円弧状の切込み４３とを係合して円管状に丸めなおせば、異なる径の配管スリーブとして再利用することもできる。
【００３０】
【発明の効果】
以上説明したように、本発明に係る配管スリーブによれば、建築物の基礎にコンクリートを打設する場合に配管口の型として用いられる配管スリーブであって、円管状の胴体と、該胴体から切断可能に切断線を有し、該胴体の各開口周縁の下側部に沿うように湾曲して、該胴体の軸線方向に各々突設された舌状の突出片とを備えてなる本体と、前記胴体の各開口を各々閉塞するように設けられた円盤状の芯材と、前記各芯材を貫通して、両端が前記本体の外側に向かって所要の長さだけ突出するように設けられた吊り巾止め金具とを具備してなり、コンクリートの固着した前記突出片を切断し、前記胴体を配管スリーブの本体として再利用することができるものとしたので、配管スリーブの突出片にコンクリートが固着した場合には、該突出片を切断線に沿って切断することにより、本配管スリーブのうち、本体の胴体に相当する円管状の部分を配管スリーブとして再利用することができる。
【００３１】
また、本発明によれば、前記切断線は、前記胴体の開口周縁に沿って設けられたミシン目としたので、前記突出片を容易に切断することができる。
【００３２】
また、本発明に係る配管スリーブ用シートによれば、円管状に丸められて、建築物の基礎にコンクリートを打設する場合に配管口の型として用いられる配管スリーブの胴体となる矩形の胴体部と、前記胴体部から切断可能に切断線を有し、配管スリーブの胴体の開口となるべき胴体部の側縁の所要の位置に設けられた舌状の突出片部とを具備してなり、コンクリートの固着した前記突出片部を切断し、前記胴体部を配管スリーブの本体として再利用することができるものとしたので、前記配管スリーブの本体を容易に成形することができ、前記と同様の効果を得ることができる。
【図面の簡単な説明】
【図１】本発明の実施の形態に係る配管スリーブ１００の構成を示す斜視図である。
【図２】配管スリーブ用シート１０４の構成を示す平面図である。
【図３】芯材１０２の構成を示す斜視図である。
【図４】吊り巾止め金具１０３の構成を示す斜視図である。
【図５】配管スリーブ１００の組立方法を説明するための概略斜視図である。
【図６】配管スリーブ１００の組立方法を説明するための概略斜視図である。
【図７】配管スリーブ１００の設置方法を説明するための概略斜視図である。
【図８】配管スリーブ１００の設置方法を説明するための概略斜視図である。
【図９】配管スリーブ１００の設置方法を説明するための概略斜視図である。
【図１０】配管スリーブ１００の設置方法を説明するための概略斜視図である。
【図１１】配管スリーブ１００から突出片１１を切断した状態を示す概略斜視図である。
【図１２】基礎の側面と配管口が設けられる位置を示した模式図である。
【図１３】配管スリーブ８００の構成を示す斜視図である。
【図１４】基礎の側面と配管口が設けられる位置を示した模式図である。
【図１５】配管スリーブ９００の構成を示す斜視図である。
【符号の説明】
１００  配管スリーブ
１０１  本体
１０２  芯材
１０３  吊り巾止め金具
１０４  配管スリーブ用シート
１０  胴体
１１  突出片
１２  切断線
４０  胴体部
４１  突出片部
【図１】
0003841262.tif 000002
【図２】
0003841262.tif 000003
【図３】
0003841262.tif 000004
【図４】
0003841262.tif 000005
【図５】
0003841262.tif 000006
【図６】
0003841262.tif 000007
【図７】
0003841262.tif 000008
【図８】
0003841262.tif 000009
【図９】
0003841262.tif 000010
【図１０】
0003841262.tif 000011
【図１１】
0003841262.tif 000012
【図１２】
0003841262.tif 000013
【図１３】
0003841262.tif 000014
【図１４】
0003841262.tif 000015
【図１５】
0003841262.tif 000016